(57)【特許請求の範囲】
【請求項１】
一対のバンドの端部間に、接続状態に配される時計バンド用バックルであって、第１のバンド（１）及び第２のバンド（２）に取り付けられる二つ折れ手段（１１）を具備し、該二つ折れ手段が、裏側に配される裏側部材（１１Ａ）と、表側に配される表側部材（１１Ｂ）と、これらを裏側部材の厚さ分以上離れた２点位置で回転可能に支持するリンク機構（２０）とを有するとともに、該リンク機構が、裏側部材及び表側部材に配され支持穴（２２ａ，２２ｂ）を有するリンク支持部（２１Ａ，２１Ｂ）と、該支持穴に接続ピン（２３）を介在させて支持されるリンク部材（２５）とにより構成されることを特徴とする時計バンド用バックル。
【請求項２】
リンク部材（２２）に、金属板の両端を巻回して形成された支持穴（２２ａ，２２ｂ）が配され、該支持穴に接続ピン（２３）が挿入状態に支持されることを特徴とする請求項１記載の時計バンド用バックル。
【請求項３】
表側部材（１１Ｂ）とリンク部材（２２，２５）との間に、ストッパ（２４）が配され、表側部材を裏側部材（１１Ａ）の上に重なる方向に移動させた際に、表側部材とリンク部材との一体回転がなされることを特徴とする請求項１または２記載の時計バンド用バックル。
【請求項４】
表側部材（１１Ｂ）に、第２のバンド（２）を接続するための上蓋（１２）が配されるとともに、該上蓋に、プッシュボタンユニット（１３）が配され、二つ折れ手段（１１）に、プッシュボタンユニットの操作により係止及び離脱される係止具（１５）が配されることを特徴とする請求項１、２または３記載の時計バンド用バックル。
【請求項５】
二つ折れ手段（１１）に、上蓋（１２）の上を覆った状態に安全蓋（１４）が配されることを特徴とする請求項４記載の時計バンド用バックル。
【発明の詳細な説明】
【０００１】
【発明の属する技術分野】
本発明は、時計バンド用バックルに係り、特に、二つ折れ部分の不用意な逆回転による故障の発生を防止するものである。
【０００２】
【従来の技術】
二つ折れ部分を有する時計バンド用バックルの技術に関連して、技術例１：特開平７−２８９３１６号，技術例２：特開平８−５６７０８号，技術例３：特開平９−５６４２２号が提案されている。
【０００３】
図１２及び図１３は、技術例１のダイバーバンド用バックル（ダイバーウオッチのバンド用バックル）を示している。
これら各図において、符号１，２はダイバーバンド片（第１のバンド，第２のバンド）、１０はダイバーバンド用バックル、１１は二つ折れ手段、１２は上蓋、１３はプッシュボタンユニット、１４は安全蓋、１５は係止具、１６は長さ調整機構である。
その概略を説明すると、ダイバーバンド用バックル１０は、ダイバーバンド片（第１のバンド，第２のバンド）１，２の間に介在し、ダイバーウオッチの着脱時において、安全蓋１４を開いた状態で、プッシュボタンユニット１３を押しながら引き上げる操作をすることにより、二つ折れ手段１１及び上蓋１２が係止具１５から外れて、二つ折れ手段１１を開くことができるとともに、長さ調整機構１６によりダイバーバンド用バックル１０自身の長さを変更し得るようにしている。
【０００４】
技術例１ないし技術例３において、二つ折れ部分（二つ折れ手段１１）は、手首に対する装着性を良くするために、図１２に矢印で示すように、例えば１８０度ないし２７０度程度の角度まで開き得るものとすることが要求されている。
【０００５】
【発明が解決しようとする課題】
しかし、二つ折れ部分を限界以上の角度まで無理に開くか、あるいは不用意に開く力が作用した場合には、二つ折れ部分のヒンジが損傷を受けてしまうことが起こり得る。
【０００６】
本発明は、これらの事情に鑑みてなされたもので、以下の目的を有するものである。
▲１▼  不用意にバックルを開いてしまった場合や、開く力が働いた場合の安全性を高めること。
▲２▼  時計の着脱時における二つ折れ手段の円滑な回転を確保し、信頼性を高めること。
▲３▼  時計の装着時におけるバックルの不用意な解除を防止すること。
▲４▼  バックル部分の開閉操作に対する耐久性を高めること。
【０００７】
【課題を解決するための手段】
一対のバンドの端部間に、接続状態に配される時計バンド用バックルにおいて、第１のバンド及び第２のバンドに取り付けられる二つ折れ手段を具備し、該二つ折れ手段が、裏側に配される裏側部材と、表側に配される表側部材と、これらを裏側部材の厚さ分以上離れた２点位置で回転可能に支持するリンク機構とを有するとともに、該リンク機構が、裏側部材及び表側部材に配され支持穴を有するリンク支持部と、該支持穴に接続ピンを介在させて支持されるリンク部材とにより構成される技術が採用される。
リンク部材には、金属板の両端を巻回して形成された支持穴が配され、該支持穴に接続ピンが挿入状態に支持される。
表側部材とリンク部材との間には、ストッパが配され、表側部材を裏側部材の上に重なる方向に移動させた際に、表側部材と裏側部材との一体回転がなされる技術が採用される。
表側部材には、第２のバンドを接続するための上蓋が配されるとともに、該上蓋に、プッシュボタンユニットが配され、二つ折れ手段には、プッシュボタンユニットの操作により係止及び離脱される係止具が配される。
二つ折れ手段には、上蓋の上を覆った状態に安全蓋が配される。
【０００８】
【発明の実施の形態】
以下、本発明に係る時計バンド用バックルの第１実施形態について、図１ないし図６を参照して説明する。
【０００９】
時計バンド用バックルＸは、第１のバンド１及び第２のバンド２の間に介在させられる二つ折れ手段１１に、上蓋１２，プッシュボタンユニット１３及び係止具１５を組み合わせて構成されるとともに、二つ折れ手段１１の基部に、リンク機構２０を介在状態に配して、回転可能に接続するようにしている。
【００１０】
該リンク機構２０は、裏側部材１１Ａ及び表側部材１１Ｂの基部にそれぞれ配されるリンク支持部２１Ａ，２１Ｂと、該リンク支持部２１Ａ，２１Ｂの間に介在状態に配されるリンク部材２２と、接続ピン２３と、表側部材１１Ｂの基部に配されるストッパ２４とを有している。
【００１１】
前記リンク支持部２１Ａ，２１Ｂは、図１，図３及び図４に示すように、裏側部材１１Ａ及び表側部材１１Ｂの基部でかつ両側部を巻回状態に折り返すこと等により左右一対配され、接続ピン２３を取り付ける支持穴２１ａ，２１ｂを形成している。
【００１２】
前記リンク部材２２は、図５に示すように、ステンレス鋼板やチタン板等の金属板をプレス加工する技術等により形成され、そして、図３に示すように、左右一対のリンク支持部２１Ａ，２１Ｂの間に配されて、裏側部材１１Ａ及び表側部材１１Ｂを、接続ピン２３の介在により、図１に示すように、ほぼ裏側部材１１Ａの厚さ寸法分だけ離した位置で、支持穴２２ａ，２２ｂにより回転可能に接続するものである。
【００１３】
前記ストッパ２４は、図４に示すように、表側部材１１Ｂの基部に突出状態に配され、リンク部材２２における突出部２２ｃを裏面に接触させることにより回転を抑制するものである。
【００１４】
前記二つ折れ手段１１の部分について補足説明すると、該二つ折れ手段１１は、ステンレス鋼板やチタン板等の金属板をプレス加工する技術等により形成され、上述したように、裏側に配される裏側部材１１Ａと表側に配される表側部材１１Ｂとをリンク機構２０により回転可能に接続した構造であるが、技術例１のダイバーバンド用バックルに準じて、図１に示すように、表側部材１１Ｂには、第２のバンド２を接続するための上蓋１２が配されるとともに、該上蓋１２に、プッシュボタンユニット１３が配されており、そして、裏側部材１１Ａには、プッシュボタンユニット１３の操作により、二つ折れ手段１１を閉じた状態に保持する係止と、二つ折れ手段１１を開き得る状態とする離脱とを行なうための係止具１５とが配設されている。
【００１５】
このように構成されている時計バンド用バックルＸの掛け外し操作等について以下説明する。
【００１６】
時計の着脱、つまり時計バンド用バックルＸの掛け外しは、通常の場合、プッシュボタンユニット１３を両側から摘んで、上蓋１２を上下する開閉操作により行なわれる。
【００１７】
時計バンド用バックルＸを開く場合には、図１に示す状態から、プッシュボタンユニット１３を摘んで係止具１５との係合を解除し、上蓋１２を引き起こすと、二つ折れ手段１１が、リンク機構２０における離間した状態の二つの接続ピン２３を回転中心として回転可能であるために、任意の角度だけ開くことができる。
【００１８】
通常の場合には、二つ折れ手段１１を１８０度程度開くことによってループ寸法が大きくなり、時計を手首から外す等の操作が可能となる。
【００１９】
しかし、ここで説明する時計バンド用バックルＸにあっては、図６に示すように、リンク機構２０におけるリンク部材２２が、裏側に任意角度だけ回転可能であるために、例えば表側部材１１Ｂを裏側部材１１Ａの裏面側まで３６０度近いところまで開くことができる。
したがって、必要以上に、二つ折れ手段１１を開いてしまった場合でも、支障を生じることがない。
【００２０】
時計を手首に装着する際には、二つ折れ手段１１を閉じることによって行なわれる。
図６に示す状態から図１に示す状態に、つまり、表側部材１１Ｂを裏側部材１１Ａの上に重ねるように回転させると、表側部材１１Ｂの基部に配されているストッパ２４が、リンク部材２２における突出部２２ｃ接触して接触状態を保持し、伸張した姿勢のままで表側部材１１Ｂがリンク部材２２とともに閉じられることになるため、プッシュボタンユニット１３及び係止具１５の位置関係が正確に保たれて、精度の高い係合が行なわれることになる。
【００２１】
次いで、本発明に係る時計バンド用バックルの第２実施形態について、図７ないし図１１を参照して説明する。
【００２２】
該第２実施形態では、図７に示すように、上蓋１２の上に、前述した技術例１に準じて安全蓋１４が配されているが、リンク機構２０の部分にあっては、図８等に示すように、組み合わせ性を改良した裏側部材１１Ｃ及び表側部材１１Ｄと、特殊構造のリンク部材２５とが採用されている。
【００２３】
裏側部材１１Ｃ及び表側部材１１Ｄは、図１３に示す技術例１に準じたものが適用され、裏側部材１１Ｃの中央部には、幅を狭くした表側部材１１Ｄを収容する凹部が形成されて、図７に示すように、係合状態に重ねられる構造であり、これらの構造を踏まえて、リンク部材２５は、図８に示すように、幅の広い裏側部材１１Ｃの側部を接続ピン２３の挿入により回転可能に支持するための左右一対の折り返し係合部２５ａと、幅を狭くした表側部材１１Ｄを接続ピン２３により回転可能に支持するための左右一対の係合側部２５ｂとが配されるとともに、これら折り返し係合部２５ａ及び係合側部２５ｂを相互に連結するとともに、図９に示すように、表側部材１１Ｄの端部の上表面と接触して回転を抑制する支持板部２５ｃを有している。
【００２４】
このような構成により、表側部材１１Ｄは、裏側部材１１Ｃの裏側の方向に、ほぼ３６０度回転可能となる。
つまり、図９に示すように、裏側部材１１Ｃに対して、リンク部材２５が例えば２５５度以上の角度まで回転可能とされ、リンク部材２５に対して、表側部材１１Ｄが１０５度以上の角度まで回転可能とされていることにより、ほぼ３６０度の回転を許容したものとなる。
【００２５】
一方、二つ折れ手段１１を閉じる方向に回転させた場合には、表側部材１１Ｄの裏面が支持板部２５ｃに接触することにより、回転が抑制されるとともに、接触状態の保持により伸張した姿勢のままで表側部材１１Ｄ閉じられて、プッシュボタンユニット１３及び係止具１５が正確な位置関係で係合されるものである。なお、図７に示すように、上蓋１２の上には、安全蓋１４が被せられるが、技術例１に準じたものであるため、説明を省略する。
【００２６】
【発明の効果】
本発明に係る時計バンド用バックルによれば、以下の効果を奏する。
（１）  二つ折れ手段における裏側部材及び表側部材が、リンク機構により２点位置で回転可能に支持されていることにより、不用意にバックルを開いてしまった場合や、開く力が働いた場合にあっても、無理な力が発生することがなく、全体の安全性を高めることができる。
（２）  裏側部材及び表側部材を、２点位置で回転させることにより、時計の着脱時における二つ折れ手段の円滑な回転を確保し、信頼性を高めることができる。
（３）  二つ折れ手段が、上蓋に配したプッシュボタンユニットや安全蓋で係止及び離脱されることにより、時計の装着時におけるバックルの不用意な解除を防止することができる。
（４）  二つ折れ手段が、リンク部材及び接続ピンに支持されて開閉されることにより、バックル部分の開閉操作に対する耐久性を高めることができる。
（５）  表側部材とリンク部材との間に、ストッパを配して、表側部材をリンク部材と一体回転させることにより、二つ折れ手段を高い精度で結合させることができる。
【図面の簡単な説明】
【図１】  本発明に係る時計バンド用バックルの第１実施形態を示す正面図である。
【図２】  本発明に係る時計バンド用バックルの第１実施形態を示す正断面図である。
【図３】  本発明に係る時計バンド用バックルの第１実施形態を示す平面図である。
【図４】  図１における裏側部材の一部分を示すもので、（ａ）は平面図、（ｂ）は正断面図である。
【図５】  図１におけるリンク部材を示すもので、（ａ）は正断面図、（ｂ）は平面図である。
【図６】  図１における二つ折れ手段を逆方向に回転させた状況を示す正断面図である。
【図７】  本発明に係る時計バンド用バックルの第２実施形態を示す正面図である。
【図８】  図７におけるリンク部材を示すもので、（ａ）は平面図、（ｂ）は正断面図である。
【図９】  図７における二つ折れ手段を逆方向に約４分の３回転させた状況を示す正面図である。
【図１０】  図７における二つ折れ手段を逆方向に約一回転させた状況を示す正面図である。
【図１１】  図７における時計バンド用バックルを極度に開いた状況を示す正面図である。
【図１２】  ダイバーバンド用バックルの従来技術例を示す斜視図である。
【図１３】  図１２における二つ折れ手段、上蓋、安全蓋及びスライダ等の関連を示す正断面図である。
【符号の説明】
Ｘ  時計バンド用バックル
１  第１のバンド
２  第２のバンド
１１  二つ折れ手段
１１Ａ  裏側部材
１１Ｂ  表側部材
１１Ｃ  裏側部材
１１Ｄ  表側部材
１２  上蓋
１３  プッシュボタンユニット
１４  安全蓋
１５  係止具
２０  リンク機構
２１Ａ，２１Ｂ  リンク支持部
２１ａ，２１ｂ  支持穴
２２  リンク部材
２２ａ，２２ｂ  支持穴
２２ｃ  突出部
２３  接続ピン
２４  ストッパ
２５  リンク部材
２５ａ  折り返し係合部
２５ｂ  係合側部
２５ｃ  支持板部
【図１】
0004086943.tif 000002
【図２】
0004086943.tif 000003
【図３】
0004086943.tif 000004
【図４】
0004086943.tif 000005
【図５】
0004086943.tif 000006
【図６】
0004086943.tif 000007
【図７】
0004086943.tif 000008
【図８】
0004086943.tif 000009
【図９】
0004086943.tif 000010
【図１０】
0004086943.tif 000011
【図１１】
0004086943.tif 000012
【図１２】
0004086943.tif 000013
【図１３】
0004086943.tif 000014